(57)【特許請求の範囲】
【請求項１】
縦材に横架材の端部が結合する位置に手摺支柱をブラケットを介して取付ける手摺の取付装置に於て、上記ブラケットが手摺支柱に基端を結合した水平なフレーム本体と、フレーム本体から直角方向に連設した支持フレームと、フレーム本体の外端と支持フレームの外端とに縦方向に向けて連設した係止フレームとからなり、フレーム本体と支持フレームとが交叉するコーナ部近傍においてフレーム本体と支持フレームとにそれぞれ短手方向に向けて外方に開放された溝状の切欠きを形成し、係止片の下部に弯曲した係止溝を設けている手摺の取付装置。
【請求項２】
フレーム本体と支持フレームとが水平な一体の上側板からなり、フレーム本体に対応する上側板に任意の間隔をあけて下側板を連設し、上側板に外方に開放された溝状の切欠きを設け、下側板に外方に開放された弯曲した支持面を形成している請求項１の手摺の取付装置。
【発明の詳細な説明】
【０００１】
【発明の属する技術分野】
本発明は、建築現場，土木工事現場において使用される枠組足場に取付けられる手摺の取付装置に関する。
【０００２】
【従来の技術】
一般に建築現場，土木工事現場では枠組足場が設置され、この枠組足場が設置され、この枠組足場上で歩行したり、諸作業を行なう。
【０００３】
枠組足場は前後一対の縦材と、縦材間に架設した横架材とで建枠を構成し、この建枠を多数横方向に列設し、横架材間に足場板を設置し、更に横方向に隣接する縦材間にＸ字状のプレスと水平な手摺を並設し、足場板上での歩行や諸作業の安全を図っている。
【０００４】
他方、枠組足場は上下方向にも建枠を起立して櫓状に組付けている。この場合には下方にあらかじめ組付けられている建枠に対して上方の建枠を差し込んで起立し、その後この上方の建枠にブレスや手摺を組付ける。しかし、この上方の建枠を組付けたり、ブレスや手摺を組付ける時には最上段の足場板の周囲には安全を図る手摺等が存在しないので歩行や諸作業が非常に危険となる。
【０００５】
そこで最近は、あらかじめ最上段の足場板に対応して親綱支柱を起立し、これらの先行手摺や親綱支柱に結合した親綱で支えられながら、作業者が上段の建枠の組付け、この建枠に対するブレスや他の手摺の設置作業を行なっている。
【０００６】
しかして、上記のように下方の建枠に対し上段の建枠を組付ける場合、下方の建枠の縦材に上段の建枠の縦材をスペーサを介して差し込み、更に下方の縦材上部に設けている出没自在な屈曲したピン状の止め具を上下の建材とスペーサ間に嵌入して上下の建材の抜け止めを図っている。あるいはハンドルを備えた止め具を介して上記と同様に上下の縦材とスペーサとを結合している。
【０００７】
【発明が解決しようとする課題】
しかしながら、上記のように上下の建枠における縦材を上下に結合する場合、ピン状の止め具、ハンドル式の止め具を使用し、あるいは各メーカの製品によってその止め具がまちまちであるから、手摺支柱側のブラケットを建枠に結合しようとする時上記の止め具が干渉してブラケットを取付けられない場合が生じている。
【０００８】
そこで、本発明の目的は、上下の縦材を結合する止め具があってもこれに干渉することなく手摺支柱側のブラケットを建枠に結合できる手摺の取付装置を提供することである。
【０００９】
【課題を解決するための手段】
上記の目的を達成するため、本発明の一つの手段は、縦材に横架材の端部が結合する位置に手摺支柱をブラケットを介して取付ける手摺の取付装置に於て、上記ブラケットが手摺支柱に基端を結合した水平なフレーム本体と、フレーム本体から直角方向に連設した支持フレームと、フレーム本体の外端と支持フレームの外端とに縦方向に向けて連設した係止フレームとからなり、フレーム本体と支持フレームとが交叉するコーナ部近傍においてフレーム本体と支持フレームとにそれぞれ短手方向に向けて外方に開放された溝状の切欠きを形成し、係止片の下部に弯曲した係止溝を設けていることを特徴とするものである。
【００１０】
この場合、フレーム本体と支持フレームとが水平な一体の上側板からなり、フレーム本体に対応する上側板に任意の間隔をあけて下側板を連設、上側板に外方に開放された溝状の切欠きを設け、下側板に外方に開放された弯曲した支持面を形成しているのが好ましい。
【００１１】
【発明の実施の形態】
以下、本発明の実施の形態を図にもとづいて説明する。
【００１２】
本発明は、図２，図３に示すように、縦材１と縦材１に結合した横架材２とからなる建枠３に手摺４を取付ける手摺の取付装置である。
【００１３】
手摺４は図３に示すように、建枠３の最上部に盛替可能な先行手摺として取付けられるものであるが、建枠４に取付け後そのまま固定手摺として使用することもできる。
【００１４】
手摺４を先行手摺として使用する場合には、図３に示すように、下段の建枠３における横架材２に架設された足場板（図示せず）上で作業者が手摺４を取付ける。次に上方の横架材２に上方の足場板を架設し、この足場板上で手摺４で安全を図りながら上段の建枠３を組付け、又この建枠３にブレス等を設置し、併せて固定の他の手摺を取付ける。この作業が終了すると、上記の手摺４をはずし、上方の足場板上で再びこの手摺４を更に上段側の建枠３に組付ける。即ち、上記手摺４を次々と上方に盛替えて使用する。尚、下方の建枠３に上方の建枠３（図示せず）を連結する場合、上下の縦材１，１同士を結合して行なう。
【００１５】
この場合、図１，図３，図４に示すように、下方の縦材１の上部にはスペーサ１２と止め具１３又は３３が設けられており、スペーサ１２に上方の縦材１を挿入し、その後止め具１３又は３３を介してスペーサ１２と上方の縦材１とを結合して抜け止めを図っている。
【００１６】
止め具１３はスプリングで付勢されたピンからなり、他の止め具３３としてはハンドルを備えた回転式のものかである。
【００１７】
これらの止め具１３，３３等は各メーカーによっていろいろなタイプのものが使用されているが、上記のように先行手摺を建枠３に組付ける時これらの止め具１３，３３等と干渉して手摺を取付けられない場合があるが、本発明の手摺４はこの止め具１３等に干渉せずに取付けられ、あるいは取はずして上方に盛替えできるようにしたことを特徴とするものである。
【００１８】
以下更に本発明の手摺の取付装置を詳しく説明する。
【００１９】
この手摺の取付装置Ａは図１乃至図３に示すように、縦材１に横架材２の端部が結合する位置に手摺支柱１４をブラケットＢを介して取付ける手摺の取付装置である。そして、上記ブラケットＢが手摺支柱１４に基端を結合した水平なフレーム本体５と、フレーム本体５から直角方向に連設した支持フレーム６と、フレーム本体５の外端と支持フレーム６の外端とに縦方向に向けて連設した係止フレーム７とからなっている。更にフレーム本体５と支持フレーム６とが交叉するコーナ部近傍においてフランジ本体５と支持フレーム６とにそれぞれ短手方向に向けて外方に開放された溝状の切欠き８，９を形成し、係止片７の下部に湾曲した係止溝１０を設けている。
らなる建枠３に手摺４を取付ける手摺の取付装置である。
【００２０】
フレーム本体５と支持フレーム６とは一枚の板で成形しても良いが、本実施の形態では、図１に示すように、フレーム本体５と支持フレーム６とが水平な一体の上側板５ａからなり、フレーム本体５に対応する上側板５ａに任意の間隔をあけて下側板５ｂを連設し、上側板５ａに外方に開放された溝状の切欠き８，９を設け、下側板５ｂに外方に開放された湾曲した支持面１１を形成している。
【００２１】
手摺４は一対の手摺支柱１４，１４と、手摺支柱１４，１４の上部に架設した平行で伸縮自在な手摺枠１６，１６と、手摺枠１６，１６間に回転自在に架設した連結材１７と、手摺支柱１４に設けた中間のブラケットＢと、手摺支柱１４の下部に設けたブラケットＣとで構成されている。
【００２２】
手摺枠１６は図９に示すように、アウターチューブａと、アウターチューブａ内に伸縮自在に挿入したインナーチューブｂとからなり、アウターチューブａに形成した長孔ｃにインナーチューブｂに設けたピンｄを移動自在に挿入している。アウターチューブａとインナーチューブｂの各端部には平偏な取付片ｅ，ｆと、この取付片ｅ，ｆに形成した取付孔ｇ，ｇを設けている。そして、上記手摺枠１６は図５，図８に示す取付金具２０を介して手摺支柱１４に着脱自在に結合されている。
【００２３】
取付金具２０は手摺支柱１４に設けた縦方向の筒状ガイド２１と、筒状ガイド２１から水平に突出するガイドロット２２と、筒状ガイド２１とガイドロッド２２に縦方向に形成した孔２３，２４、孔２３，２４に上下移動自在に挿入した止めピン２５とで構成されている。
【００２４】
手摺枠１６は止めピン２５を引き上げておいた状態で、その両端の取付孔ｇをガイドロッド２２に差し込み、次いで止めピン２５を引き下げて孔２４に挿入する。これにより手摺枠１８はガイドロッド２２に差し込まれながら止めピン２５で抜け止めが図られている。
【００２５】
更に、手摺支柱１４の下方に設けたブラケットＣは図６，図７に示すように、手摺支柱１４に基端を固定した支持片２６と、支持片２６と、支持片２６に一体に連設しているフック２７と、フック２７に形成した抱持溝２８と、支持片２６に設けたガイド２９と、ガイド２９に挿入した楔３０とで構成されている。フック２７は縦材１に抱持溝２８を介して引掛け、フック３０を打ち込むことにより抱持溝２８と楔３０とで縦材１を挾持し、手摺支柱１４の下部をブラケットＣで保持している。
【００２６】
次に、手摺４を建枠３に着脱する工程を説明する。
【００２７】
すでに述べたように、先ず下方の足場板上で手摺支柱１４を縦材１と横架材２の交叉部にブラケットＢを介して取付る。この場合、縦材１の横方向からフレーム本体５と支持フレーム６と係止フレーム７とを傾斜させながら縦材１と横架材２に近づけ、次いでフレーム本体５を水平方向に引き上げながら係止フレーム７を係止溝１０を介して横架材２上に係合させブラケットＢ全体を水平にする。この際、縦材１に止め具１３又は３３があっても、フレーム本体５と支持フレーム６とは直角に曲げられてＬ字状となっているから、傾斜して近づけた時でもこれらのフレーム本体５と支持フレーム６は止め具１３又は３３と干渉しない。更に係止フレーム７を横架材２に係合させながらフレーム本体５と支持フレー６とを水平方向に引き上げた時ピン状の止め具１３又はハンドル式の止め具３３は外方に開放された溝状の切欠き８，９内に侵入し、フレーム本体５と支持フレーム６と干渉するのが防止される。
【００２８】
このようにブラケットＢを介して手摺支柱１４を結合した後に下方のブラケットＣを縦材１に結合することにより手摺支柱１４は固定される。尚、上記の場合下側板５ｂの支持面１１が縦材１の外面に係合する。このように手摺支柱１４が起立された後に手摺枠１６を装着して手摺４を上方に配置し、この手摺４を利用して安全を図りながら更に上方の建枠３を組み付け、ブレス等の取付作業を行なう。
【００２９】
更に上方の建枠３の組付け作業が終了した後には手摺枠１６をはずし、上記した順序と逆の工程によって手摺支柱１４をはずし、再びこの手摺支柱１４を上方に盛替えて先行手摺として利用する。
【００３０】
上記の手摺支柱１４は手摺のみならず、単独で親綱支柱としても利用され、その構造は上記した場合と同じである。
【００３１】
【発明の効果】
本発明によれば、次の効果がある。
【００３２】
(1) 各請求項の発明によれば、ブラケットがフレーム本体と支持フレームがＬ状に形成され、そのコーナ部近傍に外方に開放された溝状の切欠きを備えているので、ブラケットを縦材に対して横方向から傾斜させながら近づけられ、更に係止フレームを横架材上に係合した後に水平にしても上記の切欠きを縦材側の止め具がこの切欠きを通過するのでフレーム本体と支持フレームを止め具に干渉することなく装着できる。
【００３３】
(2) 同じく、ブラケットをはずす場合でも上記と逆の工程を行なえば良く、簡単に取りはずすことが可能で盛替可能な先行手摺としての利用に適している。しかも手摺支柱は単独でも建枠に対応する着脱が可能で親綱支柱としての利用にも適している。
【００３４】
(3) 請求項３の発明によれば、フレーム本体に対応する下側板が支持面を介して縦材に当接可能であり、ブラケットが安定し、補強も可能となる。
【図面の簡単な説明】
【図１】（Ａ）ブラケットの拡大平面図である。
（Ｂ）ブラケットの背面図である。
（Ｃ）ブラケットの横断平面図である。
【図２】手摺を建枠に取付けた状態の正面図である。
【図３】図２の側面図である。
【図４】図１（Ａ）の側面図である。
【図５】手摺支柱の拡大側面図である。
【図６】下方のブラケットの拡大平面図である。
【図７】図６の側面図である。
【図８】取付金具の拡大側面図である。
【図９】手摺枠の拡大正面図である。
【符号の説明】
１  縦材
２  横架材
５  フレーム本体
５ａ  上側板
５ｂ  下側板
６  支持フレーム
７  係止フレーム
８，９  切欠き
１０  係止溝
１１  支持面
１４  手摺支柱
Ｂ  ブラケット
【図１】
0003913536.tif 000002
【図２】
0003913536.tif 000003
【図３】
0003913536.tif 000004
【図４】
0003913536.tif 000005
【図５】
0003913536.tif 000006
【図６】
0003913536.tif 000007
【図７】
0003913536.tif 000008
【図８】
0003913536.tif 000009
【図９】
0003913536.tif 000010